(57)【要約】【課題】１回の実行指示で機能が最後まで完了することを望むユーザ、及びプレビュー画面表示時に処理が一旦停止することを望むユーザ、の双方の使い勝手を向上させる。【解決手段】画像処理装置には、画像読取処理および読取画像のデータに基づく特定の処理を含む特定の読取関連機能を、第１種又は第２種として登録可能である。第２種は、実行指示するとさらなる操作を要求されることなく開始される種別である。第２種の読取関連機能に対しては、さらに、画像読取処理後の処理の実行手順を、第１の手順Ａ又は第２の手順Ｂに設定可能である。第１の手順Ａは、読取画像のプレビュー表示後、読取後開始要求操作を受けることに応じて残りの処理が開始される手順である。第２の手順Ｂは、読取画像のプレビュー表示後、さらなる操作を要することなく残りの処理が開始される手順である。【選択図】図３
2020155890.tif 000002
【特許請求の範囲】
【請求項１】
読取部と、
表示部と、
入力部と、
制御部と、
を備えた画像処理装置であって、
前記制御部は、
設定されたパラメータに従って実行される読取関連機能を登録する登録処理であって、前記パラメータを設定する処理を含み、前記読取関連機能は、前記読取部により画像を読み取る読取処理、及びその読取処理で読み取られた画像である読取画像のデータに基づく特定の処理を含む、前記登録処理と、
前記読取関連機能の種別を第１種又は第２種に設定する種別設定処理であって、前記第１種は、前記読取関連機能の実行指示が入力された後にさらに前記入力部を介して開始指示操作を受けることに応じて前記読取関連機能が開始される種別であり、前記第２種は、前記読取関連機能の実行指示が入力された場合に前記入力部を介した操作を受けることなく前記読取関連機能が開始される種別である、前記種別設定処理と、
種別設定処理により前記種別が前記第２種に設定された場合に実行する手順選択表示処理であって、前記読取関連機能の実行時における画像を読み取った後の処理の実行手順を第１の手順及び第２の手順のいずれかに選択させるための読取後手順選択画面を前記表示部に表示する、前記手順選択表示処理と、
前記読取後手順選択画面が表示されているときに前記入力部を介して入力される選択操作に応じて前記実行手順を前記第１の手順又は前記第２の手順に設定する読取後手順設定処理と、
を実行し、
前記第１の手順は、前記読取画像を含む第１プレビュー画面を前記表示部に表示させ、前記第１プレビュー画面が表示されているときに、前記特定の処理の開始を要求する読取後開始要求操作を前記入力部を介して受けることに応じて前記特定の処理を開始する手順であり、
前記第２の手順は、前記読取画像を含む第２プレビュー画面を前記表示部に表示させて且つ前記入力部を介した操作を要することなく前記特定の処理を開始する手順である、
画像処理装置。
【請求項２】
請求項１に記載の画像処理装置であって、
前記制御部は、さらに、
前記読取関連機能の実行指示を受け付ける実行指示受付処理と、
前記実行指示受付処理により前記実行指示が受け付けられることに応じて、前記読取関連機能を、設定されている前記種別に従って実行し、前記種別が前記第２種に設定されている場合はさらに設定されている前記実行手順に従って実行する、機能実行処理と、
を実行する、画像処理装置。
【請求項３】
請求項２に記載の画像処理装置であって、
前記機能実行処理は、前記種別が前記第２種に設定されていて且つ前記実行手順が前記第１の手順に設定されている場合に実行される処理として、
前記第１プレビュー画面を前記表示部に表示させる第１プレビュー画面表示処理と、
前記第１プレビュー画面が表示されているときに前記読取後開始要求操作を前記入力部を介して受け付ける読取後受付処理と、
前記読取後受付処理により前記読取後開始要求操作が受け付けられることに応じて前記特定の処理を開始する第１の特定開始処理と、
を含む、画像処理装置。
【請求項４】
請求項３に記載の画像処理装置であって、
前記機能実行処理は、さらに、
前記第１プレビュー画面表示処理により前記第１プレビュー画面が表示された後、前記読取後受付処理により前記読取後開始要求操作が受け付けられることなく規定時間が経過することに応じて、前記特定の処理を開始する無操作開始処理、
を含む、画像処理装置。
【請求項５】
請求項２〜請求項４のいずれか１項に記載の画像処理装置であって、
前記機能実行処理は、前記種別が前記第２種に設定されていて且つ前記実行手順が前記第２の手順に設定されている場合に実行される処理として、
前記第２プレビュー画面を前記表示部に表示させる第２プレビュー画面表示処理と、
前記第２プレビュー画面が表示されている状態で、前記入力部を介した操作を要することなく前記特定の処理を開始する第２の特定開始処理と、
を含む、画像処理装置。
【請求項６】
請求項５に記載の画像処理装置であって、
前記第２プレビュー画面は、前記特定の処理を一時停止させるための一時停止ボタンを含み、
前記機能実行処理は、さらに、
前記第２プレビュー画面が表示されている状態で、前記一時停止ボタンが前記入力部を介して選択されることに応じて、前記特定の処理を一時停止する一時停止処理、
を含む、画像処理装置。
【請求項７】
請求項６に記載の画像処理装置であって、
前記機能実行処理は、さらに、
前記一時停止処理により前記特定の処理が一時停止された場合、前記第２プレビュー画面に、前記一時停止ボタンに代えて再開ボタンを表示させる再開ボタン表示処理と、
前記再開ボタンが前記入力部を介して選択されることに応じて、前記特定の処理を再開する再開処理と、
を含む、画像処理装置。
【請求項８】
請求項２〜請求項７のいずれか１項に記載の画像処理装置であって、
前記制御部は、さらに、
前記登録処理により登録された前記読取関連機能が対応付けられたアイコンを含む機能選択画面を前記表示部に表示する機能選択表示処理、
を実行し、
前記実行指示受付処理は、前記機能選択画面における前記アイコンを前記入力部を介して選択する操作を前記実行指示として受け付けるように構成され、
前記機能実行処理は、前記実行指示受付処理において選択された前記アイコンに対応付けられた前記読取関連機能を実行するように構成され、
前記アイコンは、対応する前記読取関連機能の前記種別が前記第２種に設定されている場合、前記実行手順が前記第１の手順及び前記第２の手順のうちのどちらに設定されているかを視認可能な識別情報を含む、
画像処理装置。
【請求項９】
画像処理装置において用いられる画像処理方法であって、
設定されたパラメータに従って実行される読取関連機能を登録する登録ステップであって、前記パラメータを設定する処理を含み、前記読取関連機能は、画像を読み取る読取処理、及びその読取処理で読み取られた画像である読取画像のデータに基づく特定の処理を含む、前記登録ステップと、
前記読取関連機能の種別を第１種又は第２種に設定する種別設定ステップであって、前記第１種は、前記読取関連機能の実行指示が入力された後にさらに開始指示操作を受けることに応じて前記読取関連機能が開始される種別であり、前記第２種は、前記読取関連機能の実行指示が入力された場合にさらなる操作を受けることなく前記読取関連機能が開始される種別である、前記種別設定ステップと、
種別設定ステップにより前記種別が前記第２種に設定された場合に実行する手順選択表示ステップであって、前記読取関連機能の実行時における画像を読み取った後の処理の実行手順を第１の手順及び第２の手順のいずれかに選択させるための読取後手順選択画面を表示する、前記手順選択表示ステップと、
前記読取後手順選択画面が表示されているときに入力される選択操作に応じて前記実行手順を前記第１の手順又は前記第２の手順に設定する読取後手順設定ステップと、
を実行し、
前記第１の手順は、前記読取画像を含む第１プレビュー画面を表示させ、前記第１プレビュー画面が表示されているときに、前記特定の処理の開始を要求する読取後開始要求操作を受けることに応じて前記特定の処理を開始する手順であり、
前記第２の手順は、前記読取画像を含む第２プレビュー画面を表示させて且つさらなる操作を要することなく前記特定の処理を開始する手順である、
画像処理方法。
【請求項１０】
読取部と、
表示部と、
入力部と、
制御部と、
を備えた画像処理装置における前記制御部が実行可能な画像処理プログラムであって、
前記制御部に、
設定されたパラメータに従って実行される読取関連機能を登録する登録処理であって、前記パラメータを設定する処理を含み、前記読取関連機能は、前記読取部により画像を読み取る読取処理、及びその読取処理で読み取られた画像である読取画像のデータに基づく特定の処理を含む、前記登録処理と、
前記読取関連機能の種別を第１種又は第２種に設定する種別設定処理であって、前記第１種は、前記読取関連機能の実行指示が入力された後にさらに前記入力部を介して開始指示操作を受けることに応じて前記読取関連機能が開始される種別であり、前記第２種は、前記読取関連機能の実行指示が入力された場合に前記入力部を介した操作を受けることなく前記読取関連機能が開始される種別である、前記種別設定処理と、
種別設定処理により前記種別が前記第２種に設定された場合に実行する手順選択表示処理であって、前記読取関連機能の実行時における画像を読み取った後の処理の実行手順を第１の手順及び第２の手順のいずれかに選択させるための読取後手順選択画面を前記表示部に表示する、前記手順選択表示処理と、
前記読取後手順選択画面が表示されているときに前記入力部を介して入力される選択操作に応じて前記実行手順を前記第１の手順又は前記第２の手順に設定する読取後手順設定処理と、
を実行させ、
前記第１の手順は、前記読取画像を含む第１プレビュー画面を前記表示部に表示させ、前記第１プレビュー画面が表示されているときに、前記特定の処理の開始を要求する読取後開始要求操作を前記入力部を介して受けることに応じて前記特定の処理を開始する手順であり、
前記第２の手順は、前記読取画像を含む第２プレビュー画面を前記表示部に表示させて且つ前記入力部を介した操作を要することなく前記特定の処理を開始する手順である、
画像処理プログラム。
【発明の詳細な説明】
【技術分野】
【０００１】
本発明は、読み取った画像を処理する技術に関する。
【背景技術】
【０００２】
特許文献１には、読取部により読み取った画像を表示デバイスに表示させ、その後プリント指示が行われることに応じて画像を印刷するように構成されたプリンタ装置が開示されている。
【先行技術文献】
【特許文献】
【０００３】
【特許文献１】特開２０００−０６６８６０号公報
【発明の概要】
【発明が解決しようとする課題】
【０００４】
特許文献１に開示されているプリンタ装置のような、画像を読み取る機能、及びその読み取った画像を処理する（例えば印刷する）機能を備えた各種の画像処理装置として、ショートカット機能を搭載したものが知られている。ショートカット機能とは、特定の機能及びその特定の機能の実行時に用いるパラメータをショートカットとして登録しておくことにより、ユーザがそのショートカットの実行指示をすると登録されている機能が登録されているパラメータを用いて実行される機能である。
【０００５】
ショートカットは、実行指示後にさらなるユーザ操作を要するか否かに応じて二種類に大別し得る。第１の種別は、ユーザによる実行指示を受けると、一旦、ユーザによるパラメータの確認及び変更等を受け付け、その後ユーザによるさらなる実行指示を受けることに応じて登録されている機能を実行する種別である。第２の種別は、ユーザによる実行指示を受けると、その後さらなるユーザ操作を要することなく登録されている機能を実行する種別である。
【０００６】
ここで、読み取った画像のプレビュー画面を表示させるプレビュー機能を含むショートカットが、第２の種別として登録されることを想定する。この場合、ショートカットが、プレビュー画面が表示された後にユーザの実行指示を受け付けるように構成されていると、初期の１回の実行指示のみで機能を実行してほしいユーザにとっては、プレビュー画面表示後にさらなる実行指示が要求されることを煩わしく感じられる可能性がある。このようなユーザにとっては、プレビュー機能を含むショートカットであっても、第２の種別として登録されている場合は、プレビュー画面が表示されてもさらなる操作を要求されることなく機能が実行される方が使い勝手が良い。
【０００７】
一方、ユーザによっては、第２の種別として登録されているショートカットであっても、プレビュー機能を含んでいる場合は、たとえ手数が増えても、プレビュー画面を確認した上であらためて実行指示を行うことを望むことも予想される。このようなユーザにとっては、プレビュー画面の表示後もユーザの意思に関係なく機能が続行される仕様は使い勝手が良いとは感じられない可能性がある。
【０００８】
本発明は上記課題に鑑みなされたものであり、設定されている特定のパラメータを用いて実行され、且つ画像を読み取ってその画像のプレビュー画面を表示する処理を含む特定の機能を登録可能な画像処理装置において、１回の実行指示によって特定の機能が最後まで完了することを望むユーザ、及びプレビュー画面表示時には処理が一旦停止してさらなる実行指示が行われることによって処理が続行されることを望むユーザ、の双方の使い勝手を向上させることを目的とする。
【課題を解決するための手段】
【０００９】
本発明の画像処理装置は、読取部と、表示部と、入力部と、制御部とを備える。制御部は、登録処理と、種別設定処理と、手順選択表示処理と、読取後手順設定処理とを実行する。
【００１０】
登録処理は、設定されたパラメータに従って実行される読取関連機能を登録する処理であり、パラメータを設定する処理を含む。読取関連機能は、読取部により画像を読み取る読取処理、及びその読取処理で読み取られた画像である読取画像のデータに基づく特定の処理を含む。
【００１１】
種別設定処理は、読取関連機能の種別を第１種又は第２種に設定する処理である。第１種は、読取関連機能の実行指示が入力された後にさらに入力部を介して開始指示操作を受けることに応じて読取関連機能が開始される種別である。第２種は、読取関連機能の実行指示が入力された場合に入力部を介した操作を受けることなく読取関連機能が開始される種別である。
【００１２】
手順選択表示処理は、種別設定処理により種別が第２種に設定された場合に実行する処理である。手順選択表示処理は、読取後手順選択画面を表示部に表示する処理を含む。読取後手順選択画面は、読取関連機能の実行時における画像を読み取った後の処理の実行手順を、第１の手順及び第２の手順のいずれかに選択させるための画面である。
【００１３】
読取後手順設定処理は、読取後手順選択画面が表示されているときに入力部を介して入力される選択操作に応じて実行手順を第１の手順又は第２の手順に設定する処理である。
第１の手順は、読取画像を含む第１プレビュー画面を表示部に表示させ、第１プレビュー画面が表示されているときに、特定の処理の開始を要求する読取後開始要求操作を入力部を介して受けることに応じて特定の処理を開始する手順である。
【００１４】
第２の手順は、読取画像を含む第２プレビュー画面を表示部に表示させて且つ入力部を介した操作を要することなく特定の処理を開始する手順である。
このような構成によれば、ユーザは、読取関連機能を第２種に設定する場合、さらに、実行手順を第１の手順又は第２の手順に設定することができる。そのため、例えば、操作手数をできる限り少なくしたいものの特定の処理の実行はプレビュー画面を確認した上であらためて指示したい第１のユーザは、実行手順を第１の手順に設定することで、第１のユーザの希望に合致した読取関連機能を登録可能となる。逆に、例えば、最初の実行指示の後にさらなる実行指示を行うことを望まない第２のユーザは、実行手順を第２の手順に設定することで、第２のユーザの希望に合致した読取関連機能を登録可能となる。したがって、第１のユーザおよび第２のユーザの双方にとって使い勝手の良い画像処理装置を提供することが可能となる。
【図面の簡単な説明】
【００１５】
【図１】実施形態の画像処理システムの構成を示す説明図である。
【図２】ショートカット登録時の画面遷移の一部を示す説明図である。
【図３】ショートカット登録時の画面遷移の他の一部（図２の続き）を示す説明図である。
【図４】ショートカット実行時の画面遷移の第１例（オプションＡ設定時）を示す説明図である。
【図５】ショートカット実行時の画面遷移の第２例（オプションＢ設定時）を示す説明図である。
【図６】ショートカット登録処理のフローチャートである。
【図７】ショートカット起動処理のフローチャートである。
【発明を実施するための形態】
【００１６】
以下、本発明の実施形態について、図面を参照しながら説明する。
［１．実施形態］
（１）画像処理システムの構成
図１に示す本実施形態の情報処理システム１は、画像処理装置１０と、情報処理装置２０とを備える。画像処理装置１０と情報処理装置２０とは、ネットワーク３を通じて相互にデータ通信可能である。ネットワーク３は、どのようなネットワークであってもよい。ネットワーク３は、例えば有線のネットワークであってもよいし、無線のネットワークであってもよい。また、有線及び無線のいずれにおいても、具体的な通信方式はどのような通信方式であってもよい。
【００１７】
（２）画像処理装置の構成
図１に示す本実施形態の画像処理装置１０は、例えばスキャン機能、印刷機能、コピー機能、ファクス機能などの、複数の機能を備えている。スキャン機能は、原稿の画像を読み取ってその読み取った画像（以下、「スキャン画像」と称する）の画像データ（以下、「スキャンデータ」と称する）を生成する機能である。印刷機能は、シート状の記録用紙へ画像を印刷する機能である。コピー機能は、スキャン機能により読み取った画像を印刷機能により印刷する機能である。ファクス機能は、ファクスデータの送受信を行う機能である。
【００１８】
図１に示すように、画像処理装置１０は、制御部１１と、記憶部１２と、表示部１３と、入力部１４と、読取部１５と、印刷部１６と、メディアインタフェース部１７と、第１通信部１８と、第２通信部１９とを備え、これらがバス５を介して相互に接続されている。なお、メディアインタフェース部のことを、以下「メディアＩ／Ｆ」と略称する。
【００１９】
制御部１１は例えばＣＰＵを備える。記憶部１２は、例えばＲＯＭ、ＲＡＭ、ＮＶＲＡＭ、フラッシュメモリなどの半導体メモリを有する。即ち、本実施形態の画像処理装置１０は、ＣＰＵ及び半導体メモリを含む、マイクロコンピュータを備えている。
【００２０】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって（即ち、ソフトウェア処理によって）実現することに限るものではなく、その一部又は全部について、一つあるいは複数のハードウェアを用いて実現してもよい。
【００２１】
記憶部１２には、図２〜図５に示す画面を含む各種画面のデータが記憶されている。また、記憶部１２には、図６に示すショートカット登録処理のプログラム、及び図７に示すショートカット起動処理のプログラムも記憶されている。
【００２２】
表示部１３は、各種情報を表示するための表示デバイスを有する。本実施形態の表示部１３は、表示デバイスとしてディスプレイ１３ａを有する。
入力部１４は、各種入力操作を受け付けるための入力用デバイスを有する。本実施形態の入力部１４は、入力用デバイスとしてタッチパネル１４ａを有する。タッチパネル１４ａは、表示部１３の表示デバイスにおける、画像が表示される画像表示領域に重畳配置される。
【００２３】
表示部１３の画像表示領域に重畳配置されたタッチパネル１４ａは、画像表示領域に対する、指示体による接触又は近接による指示操作を検出可能である。即ち、タッチパネル１４ａは、画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２４】
なお、タッチパネル１４ａは、指示操作として接触のみ検出可能な構成であってもよいし、近接のみ検出可能な構成であってもよいし、接触及び近接の両方を検出可能な構成であってもよい。
【００２５】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２６】
制御部１１が検出可能な特定の操作には、例えば、タップ、フリック、ドラッグなどが含まれる。タップは、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２７】
読取部１５は、イメージセンサを備え、画像が記録された原稿におけるその画像を読み取り、読み取ったスキャン画像のスキャンデータを生成する。イメージセンサは、例えば、ＣＣＤイメージセンサであってもよいし、ＣＭＯＳイメージセンサであってもよい。原稿は、例えば紙、布、レーベルのうちの少なくとも１つであってもよい。
【００２８】
なお、画像処理装置１０は、原稿を載置するための不図示の原稿台を備える。読取部１５は、原稿台に載置された原稿の画像を読み取るように構成されている。また、画像処理装置１０は、ＡＤＦを備えていてもよい。ＡＤＦとは、自動原稿送り装置を意味する、Ａｕｔｏｍａｔｉｃ  Ｄｏｃｕｍｅｎｔ  Ｆｅｅｄｅｒの略称である。また、読取部１５は、ＡＤＦにセットされた原稿について、その原稿の両面の画像を読み取るいわゆる両面スキャンを実行可能に構成されていてもよい。
【００２９】
印刷部１６は、インクジェット技術又は電子写真技術の印刷機構を有し、記録用紙に画像を印刷することが可能である。
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００３０】
第１通信部１８は、画像処理装置１０をネットワーク３に接続可能な通信インタフェースである。画像処理装置１０は、第１通信部１８を介して、情報処理装置２０を含む各種情報処理装置とデータ通信可能である。また、画像処理装置１０は、第１通信部１８を介してインターネットに接続し、インターネットを介して他の各種サーバや各種情報処理装置などとデータ通信可能である。
【００３１】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクスデータの送受信は、基本的には、第２通信部１９を介して行われる。
【００３２】
スキャン機能は、基本的には、制御部１１が読取部１５を制御することにより実行される。本実施形態のスキャン機能は、より詳しくは、スキャンデータの処理方法に応じた複数のサブ機能を含む。サブ機能には、例えば、スキャンｔｏＵＳＢメモリ、スキャンｔｏＰＣ、スキャンｔｏＥメール送信、などがある。スキャンｔｏＵＳＢメモリは、スキャンデータを、メディアＩ／Ｆ１７に接続されているＵＳＢメモリへ出力してＵＳＢメモリに保存させる機能である。スキャンｔｏＰＣは、スキャンデータを、画像処理装置１０に接続されている他の情報処理装置へ送信する機能である。スキャンｔｏＥメール送信は、スキャンデータを電子メールで送信する機能である。
【００３３】
コピー機能は、基本的には、制御部１１が読取部１５及び印刷部１６を制御することにより実行される。即ち、制御部１１は、読取部１５により原稿の画像を読み取らせること、即ちスキャン機能を実行することにより、スキャンデータを取得する。そして、そのスキャンデータに基づいて印刷部１６に印刷を実行させること、即ち印刷機能を実行することにより、スキャン画像が印刷された記録用紙である印刷物を出力する。
【００３４】
（３）情報処理装置２０の概要
情報処理装置２０は、例えばパーソナルコンピュータ、タブレット端末、スマートフォンなどの、各種の情報処理端末である。情報処理装置２０は、画像処理装置１０とデータ通信を行うことができる。情報処理装置２０は、画像データを生成し、その画像データを画像処理装置１０へ送信することにより、その画像データが示す画像を画像処理装置１０で印刷させることができる。また、画像処理装置１０は、スキャン機能により生成したスキャンデータを情報処理装置２０へ送信することができる。
【００３５】
（４）ショートカットの説明
画像処理装置１０に電源が投入されて制御部１１が起動すると、制御部１１は、表示部１３に、図２に示す待機画面４０を表示させる。待機画面４０は、ユーザが画像処理装置１０を利用して各種機能を実行させる際の起点となる画面である。待機画面４０には、機能を実行させるための複数の機能ボタンが表示される。
【００３６】
図２に示す待機画面４０には、複数の機能ボタンとして、ファクスボタン４１、コピーボタン４２及びスキャンボタン４３が例示されている。ファクスボタン４１が選択操作されると、制御部１１は、ファクス機能を実行する。コピーボタン４２が選択操作されると、制御部１１は、コピー機能を実行する。スキャンボタン４３が選択操作されると、制御部１１は、スキャン機能を実行する。選択操作はどのような操作であってもよく、本実施形態では例えばタップである。
【００３７】
待機画面４０には、ショートカットボタン４４が表示される。ショートカットボタン４４が選択操作されると、ショートカット画面８０（図３，図４等参照）が表示される。ショートカット画面８０は、タブ形式の画面であって、タブ毎に複数（例えば６個）のショートカットボタン６５ａ〜６５ｆが対応付けられており、選択状態にされている１つのタブに対応したショートカットボタン６５ａ〜６５ｆが表示される。
【００３８】
図３に例示するショートカット画面８０においては、ショートカットボタン６５ａ，６５ｂはすでにショートカットが登録されている登録済みショートカットボタンであり、他の４つのショートカットボタン６５ｃ〜６５ｆはショートカットが登録されていない未登録ショートカットボタンである。ユーザは、未登録ショートカットボタンにショートカットを登録することができる。
【００３９】
ショートカットは、画像処理装置１０が備える複数の機能のうち特定の機能を、予め設定されたパラメータを用いて実行させる機能である。ユーザは、よく使う機能およびパラメータをショートカットとしてショートカットボタンに登録しておくことで、以後、そのショートカットボタンを選択操作することでそのショートカットを容易に実行させることができる。
【００４０】
コピー機能を含むショートカットにおいて登録可能なパラメータには、例えば、コピー画質、用紙タイプ、用紙サイズ、用紙トレイ選択、拡大／縮小、コピー濃度、両面コピー、などの各種設定項目のパラメータが含まれる。また例えば、ファクス機能のショートカットにおいて登録可能なパラメータには、例えば、送信先、ファクス画質、両面ファクス、原稿濃度、原稿サイズ、カラー設定、などの各種設定項目のパラメータが含まれる。
【００４１】
ショートカットを登録可能な機能には、各種の読取関連機能が含まれる。読取関連機能とは、読取部１５により原稿の画像を読み取ってスキャンデータを生成するスキャン処理、及びそのスキャン処理で生成されたスキャンデータに基づくスキャン後処理を含む。コピー機能、スキャン機能及びファクス機能は、いずれも読取関連機能の１つである。コピー機能におけるスキャン後処理は、記録用紙へ画像を印刷する処理である。スキャン機能におけるスキャン後処理は、例えば前述のサブ機能に応じて異なる。例えばスキャンｔｏＵＳＢメモリにおけるスキャン後処理は、スキャンデータをＵＳＢメモリに記憶する処理である。ファクス機能におけるスキャン後処理は、スキャンデータをファクスデータとしてファクス送信する処理である。以下の説明では、読取関連機能のショートカットのことを「読取関連ショートカット」と称する場合がある。
【００４２】
ショートカットは、本実施形態では、さらに、通常ショートカットと、ワンタッチショートカットとの二種類に分類される。通常ショートカットは、ユーザにより実行指示が入力された場合、即ち対応するショートカットボタンが選択操作された場合に、そのショートカットボタンに登録されているショートカットがすぐには実行されず、そのショートカットに対応したパラメータを示す設定画面が表示される。ユーザは、その設定画面において、これから実行されるショートカットのパラメータを確認できる。ユーザは、必要に応じてパラメータを変更することもできる。そして、設定画面においてユーザが機能実行の開始を指示する操作を行うと、ショートカットが開始される。
【００４３】
なお、読取関連ショートカットにおいては、後述するように、プレビュー機能をオン又はオフに設定可能である。プレビュー機能とは、スキャン処理により画像が読み取られた後、そのスキャンデータに基づくスキャン後処理が開始される前に、スキャン画像を示すプレビュー画像を含むプレビュー画面を表示部１３に表示させる機能である。
【００４４】
プレビュー画像は、スキャン画像を示すどのような画像であってもよい。プレビュー画像は、例えば、スキャン画像のみを含んでいてもよい。また、例えばコピー機能のショートカットのようにスキャン後処理がスキャン画像の印刷を含む場合は、プレビュー画像は、記録用紙にスキャン画像が印刷された状態を示す画像、即ち記録用紙の輪郭を含み、その輪郭によって囲まれる範囲内（即ち記録用紙に該当する領域内）にスキャン画像が配置された状態の画像であってもよい。また、表示部１３にはスキャン画像の全体が表示されてもよいし、スキャン画像の一部が表示されてもよい。プレビュー画像は、ディスプレイ１３ａ内で移動させたり拡大／縮小させたりすることができてもよい。
【００４５】
通常ショートカットとして登録され且つプレビュー機能がオンに設定されている読取関連ショートカットが実行されると、スキャン処理により原稿の画像が読み取られた後、スキャン後処理が開始される前に、図４に例示する第１プレビュー画面８５が表示される。
【００４６】
第１プレビュー画面８５には、スキャン画像を示すプレビュー画像８６と、スタートボタン８７とが表示される。ユーザは、プレビュー画像８６を見ることで、原稿の画像が適正に読み取られたか否かを確認できる。また、コピー機能に対応したプレビュー画像８６であって記録用紙の輪郭を含むプレビュー画像８６においては、ユーザは、スキャン画像が実際に記録用紙のどの位置にどのような大きさで印刷されるかを印刷前に確認できる。第１プレビュー画面８５におけるスタートボタン８７が選択操作されると、スキャン後処理が実行される。
【００４７】
このように、通常ショートカットとして登録され且つプレビュー機能がオンに設定されている読取関連ショートカットを完了させるためには、最初の実行指示の後、前述の設定画面において機能実行の開始を指示する操作を要するのに加え、第１プレビュー画面８５においてスタートボタン８７を選択操作する必要がある。
【００４８】
一方、ワンタッチショートカットは、実行指示が入力された場合、即ち対応するショートカットボタンが選択操作された場合に、基本的には、ユーザによるさらなる入力操作を要することなく、登録されているショートカットが完了するように構成されている。
【００４９】
ただし、読取関連ショートカットを、プレビュー機能をオンに設定してワンタッチショートカットとして登録する場合において、プレビューオプション設定条件が成立している場合は、ユーザは、さらに、プレビューオプションをオプションＡ又はオプションＢに設定できる。プレビューオプションとは、スキャン処理後の実行手順の選択肢を示す。プレビューオプションがオプションＡ及びオプションＢのどちらに設定されるかに応じて、スキャン処理後の実行手順が異なる。
【００５０】
プレビューオプションがオプションＡに設定されると、後述するように、ワンタッチショートカットであっても、スキャン処理後は、第１プレビュー画面８５が表示されると共に、スキャン後処理の開始待ち状態となる。そして、ユーザにより開始指示が行われること、即ちスタートボタン８７が選択操作されることに応じて、スキャン後処理が実行される。つまり、通常ショートカットとして登録される場合よりはユーザの操作が少なくなるものの、第１プレビュー画面８５が表示された後に、スキャン後処理を開始させるためのユーザ操作が必要となる。
【００５１】
プレビューオプションがオプションＢに設定されると、後述するように、スキャン処理後、第２プレビュー画面９５（図５参照）が表示される一方で、スキャン後処理が開始される。
【００５２】
プレビューオプション設定条件は、どのような条件であってもよい。本実施形態では、プレビューオプション設定条件は、例えば、登録対象のショートカットがコピー機能のショートカットであって、後述するスタック／ソート設定の設定値がソートに設定されていること（換言すればスタックに設定されていないこと）、を含む。
【００５３】
つまり、本実施形態では、読取関連ショートカットがワンタッチショートカットとして登録され且つプレビュー機能がオンに設定されても、当該ショートカットがコピー機能のショートカットであってしかもスタックコピーを行うように設定されている場合は、プレビューオプションを設定できない。この場合、当該ショートカットが実行されると、スキャン処理後は実質的に上記オプションＡと同等の手順で処理が行われる。
【００５４】
ショートカット画面８０において、ショートカットが登録されているショートカットボタンには、図３に例示するように、ショートカットの名称が表示されると共に、通常マーク６６又はワンタッチマーク６７が付加される。通常マーク６６は、通常ショートカットが対応付けられたショートカットボタンであることを示す。ワンタッチマーク６７は、ワンタッチショートカットが対応付けられたショートカットボタンであることを示す。
【００５５】
（５）読取関連ショートカット登録時の画面遷移例
読取関連ショートカットを登録する際の画面遷移例について、図２及び図３を用いて説明する。ショートカットの登録は、待機画面４０における何れかの機能ボタンを選択操作するか又はショートカットボタン４４を選択操作することによって開始することができる。ここでは、一例として、コピー機能のショートカットを登録するためにコピーボタン４２が選択操作される場合を例に挙げて説明する。
【００５６】
コピーボタン４２が選択操作されると、表示部１３には、図２に例示するようにコピー設定画面５０が表示される。コピー設定画面５０には、複数種類の設定項目毎のパラメータ表示ボタンが含まれる。複数のパラメータ表示ボタンには、例えば、倍率設定表示ボタン５１、両面コピー設定表示ボタン５２、トレイ設定表示ボタン５３、及びコピー画質設定表示ボタン５４が含まれる。
【００５７】
倍率設定表示ボタン５１には、スキャン画像を記録用紙に印刷させる際の拡大／縮小率を示すコピー倍率の現在の設定値が表示される。両面コピー設定表示ボタン５２には、スキャン画像を記録用紙の片面及び両面のどちらに印刷するかを示す両面コピー設定の現在の設定値が表示される。トレイ設定表示ボタン５３には、スキャン画像を印刷させる記録用紙が載置されたトレイを示す使用トレイの現在の設定値が表示される。コピー画質設定表示ボタン５４には、スキャン画像を記録用紙に印刷させる際の画質を示すコピー画質の現在の設定値が表示される。ユーザは、各設定値表示ボタンを見ることで、コピー機能における各種設定項目の現在の設定値を確認することができる。
【００５８】
本実施形態では、コピー機能実行のために設定可能な各種設定項目として、前述のコピー倍率、両面コピー設定、使用トレイ及びコピー画質の他に、例えば、コピー部数、用紙タイプ、用紙サイズ、レイアウトコピー、スタック／ソート、プレビュー設定、などがある。コピー設定画面５０には、これらの他の設定項目に対応した各パラメータ表示ボタンを表示させることも可能である。
【００５９】
なお、プレビュー設定とは、登録対象の読取関連ショートカットにおけるプレビュー機能のオン又はオフを示す設定項目である。プレビュー設定がオンに設定されると、スキャン処理後にプレビュー画像が表示されるようになる。プレビュー設定がオフに設定されると、スキャン処理後にプレビュー画像が表示されることなくスキャン後処理が実行されるようになる。プレビュー設定のパラメータは、デフォルトでは例えばオフに設定されていてもよい。
【００６０】
スタック／ソート設定とは、読取関連ショートカットとして登録されるコピー機能においてスタックコピー及びソートコピーのどちらが実行されるかを示す設定項目である。スタックコピーが設定されるとスタックコピーが実行され、ソートコピーが設定されるとソートコピーが実行される。スタック／ソート設定のパラメータは、デフォルトでは例えばスタックコピーに設定されていてもよい。
【００６１】
コピー設定画面５０には、さらに、設定変更ボタン５６と、モノクロスタートボタン５７と、カラースタートボタン５８と、ショートカット登録ボタン５９とが表示される。
設定変更ボタン５６が選択操作されると、不図示の設定変更画面が表示される。ユーザは、その設定変更画面を起点として、各種設定項目のパラメータを変更することができる。
【００６２】
コピー設定画面５０において、モノクロスタートボタン５７又はカラースタートボタン５８が選択操作されると、コピー機能が開始される。なお、モノクロスタートボタン５７が選択操作された場合は、原稿の画像がモノクロで印刷され、カラースタートボタン５８が選択操作された場合は、原稿の画像がカラーで印刷される。
【００６３】
コピー設定画面５０において、ショートカット登録ボタン５９が選択操作されると、図２に例示するように、表示部１３にショートカット登録確認画面６０が表示される。ショートカット登録確認画面６０には、各設定項目の現在のパラメータが表示される。現在のパラメータとは、コピー設定画面５０においてショートカット登録ボタン５９が選択操作される直前の各設定項目のパラメータである。
【００６４】
ショートカット登録確認画面６０において、ＯＫボタン６１が選択操作されると、表示部１３には、図２に例示するように登録ボタン選択画面６５が表示される。登録ボタン選択画面６５には、ショートカット画面８０（図３参照）と同様に、ショートカットボタンが対応付けられた複数のタブ、及び選択状態にされている１つのタブに対応した複数のショートカットボタン６５ａ〜６５ｆが表示される。
【００６５】
登録ボタン選択画面６５に表示されている未登録ショートカットボタンのうちのいずれか１つが選択操作されると、その未登録ショートカットボタンが、ショートカットが登録されるショートカットボタンに設定される。そして、不図示の名称設定画面においてショートカット名の入力が受け付けられた後、表示部１３に、図３に例示するワンタッチ登録確認画面７０が表示される。なお、図３に関する以下の説明は、図２の登録ボタン選択画面６５において一例としてショートカットボタン６５ｂが選択操作されたことを想定している。
【００６６】
ワンタッチ登録確認画面７０は、登録対象のショートカットを通常ショートカット及びワンタッチショートカットのどちらとして登録するかをユーザに選択させるための画面である。ワンタッチ登録確認画面７０には、はいボタン７１といいえボタン７２とが表示される。
【００６７】
ワンタッチ登録確認画面７０において、はいボタン７１が選択操作された場合であって、プレビュー機能がオフに設定されているか若しくは前述のプレビューオプション設定条件が成立していない場合は、登録対象の読取関連ショートカットがワンタッチショートカットとして登録され、図３の左下に例示するショートカット画面８０が表示される。この例では、登録ボタン選択画面６５で選択操作されたショートカットボタン６５ｂに対して今回の新たな読取関連ショートカットが登録される。またこの場合、ワンタッチショートカットとして登録されたことにより、ショートカットボタン６５ｂには、ワンタッチマーク６７が表示される。
【００６８】
ワンタッチ登録確認画面７０において、いいえボタン７２が選択操作された場合は、登録対象の読取関連ショートカットが通常ショートカットとして登録され、ショートカット画面８０が表示される。この場合に表示されるショートカット画面８０（不図示）においては、ショートカットボタン６５ｂには、通常マーク６６が表示される。
【００６９】
ワンタッチ登録確認画面７０において、はいボタン７１が選択操作された場合であって、プレビュー機能がオンに設定されていて且つ前述のプレビューオプション設定条件が成立している場合は、図３に例示するプレビューオプション選択画面７５が表示される。プレビューオプション選択画面７５は、前述のプレビューオプションをオプションＡ又はオプションＢに設定させるための画面である。
【００７０】
プレビューオプション選択画面７５には、オプションＡ及びオプションＢそれぞれの概略説明を示す説明文が表示されると共に、Ａボタン７６及びＢボタン７７が表示される。Ａボタン７６が選択操作されると、登録対象の読取関連ショートカットがワンタッチショートカットとして登録され、さらにプレビューオプションがオプションＡに設定されて、図３の左下に例示するショートカット画面８０が表示される。
【００７１】
Ｂボタン７７が選択操作されると、登録対象の読取関連ショートカットがワンタッチショートカットとして登録され、さらにプレビューオプションがオプションＢに設定されて、図３の右下に例示するショートカット画面８０が表示される。この場合も、ワンタッチショートカットとして登録されたことにより、ショートカットボタン６５ｂには、ワンタッチマーク６７が表示される。さらにこの場合、プレビューオプションがオプションＢに設定されたことにより、ショートカットボタン６５ｂの名称が、オプションＡに設定される場合とは異なる態様で表示される。本実施形態では、一例として、図３左下のショートカット画面８０と比較して明らかなように文字のフォントがオプションＡの場合とは異なる。
【００７２】
ユーザは、ショートカットボタンに通常マーク６６及びワンタッチマーク６７のどちらが含まれているかによって、当該ショートカットボタンに登録されているショートカットが通常ショートカットかワンタッチショートカットかを認識できる。さらに、ワンタッチショートカットが登録されている場合において、ショートカットの名称を示す文字のフォントによって、プレビューオプションがオプションＢに設定されているか否かを認識することができる。即ち、例えば図３右下に示すショートカットボタン６５ｂのフォントを見ることによって、プレビューオプションがオプションＢに設定された読取関連ショートカットが登録されていることを認識できる。逆に、例えば図３左下に示すショートカットボタン６５ｂのフォントを見ることによって、当該ショートカットボタン６５ｂに登録されているショートカットが、プレビューオプションがオプションＢに設定された読取関連ショートカットとは異なる他のショートカットであることを認識できる。
【００７３】
（６）ワンタッチショートカット実行時の画面遷移例
読取関連ショートカットが実行される際の画面遷移例について、図４及び図５を用いて説明する。図４及び図５に示すショートカット画面８０においては、一例として、ショートカットボタン６５ｂに、コピー機能のショートカットであってプレビューオプションがオプションＢに設定された読取関連ショートカットが登録されており、ショートカットボタン６５ｃに、コピー機能のショートカットであってプレビューオプションがオプションＡに設定された読取関連ショートカットが登録されている。
【００７４】
まず、ショートカットボタン６５ｃが選択操作された場合、即ちプレビューオプションがオプションＡに設定された読取関連ショートカットが実行される際の画面遷移例を、図４を用いて説明する。
【００７５】
図４に示すように、ショートカットボタン６５ｃが選択操作されると、登録されているショートカットが開始される。この場合、ワンタッチショートカットとして登録されていることから、前述の設定画面が表示されることなく、即ちユーザによる設定画面に対する操作入力を要することなく、スキャン処理が開始される。スキャン処理の実行中は、表示部１３にスキャン中画面８３が表示される。
【００７６】
スキャン処理が完了すると、表示部１３に、第１プレビュー画面８５が表示される。さらに、この場合、プレビューオプションがオプションＡに設定されていることに応じて、通常ショートカットの場合と同様に、スキャン後処理の開始待ち状態となる。そして、スタートボタン８７が選択操作されると、スキャン後処理が実行される。
【００７７】
また、本実施形態では、第１プレビュー画面８５が表示された後、スタートボタン８７が選択操作されなくても、無操作タイムアウトが発生した場合は、スキャン後処理が実行される。無操作タイムアウトとは、例えば、第１プレビュー画面８５が表示された後、スタートボタン８７が選択操作されることなく規定時間が経過することである。
【００７８】
スキャン後処理の実行中は、スキャン後処理の実行中であることを示すスキャン後処理実行中画面９０が表示される。そして、スキャン後処理の完了後、つまり読取関連ショートカットの完了後は、ショートカット画面８０が表示される。
【００７９】
なお、第１プレビュー画面８５が表示された後、無操作タイムアウトによってスキャン後処理が開始されるのは、プレビューオプションがオプションＡに設定されている場合である。プレビューオプションが設定されない読取関連ショートカット（例えば通常ショートカットとして登録された読取関連ショートカット）の実行時に第１プレビュー画面８５が表示される場合は、無操作状態が規定時間以上継続してもスキャン後処理は実行されない。
【００８０】
次に、ショートカットボタン６５ｂが選択操作された場合、即ちプレビューオプションがオプションＢに設定された読取関連ショートカットが実行される際の画面遷移例を、図５を用いて説明する。
【００８１】
図５に示すように、ショートカットボタン６５ｂが選択操作されると、登録されているショートカットが開始される。この場合も、ワンタッチショートカットとして登録されていることから、前述の設定画面が表示されることなく、即ちユーザによる設定画面に対する操作入力を要することなく、スキャン処理が開始される。スキャン処理の実行中は、表示部１３にスキャン中画面８３が表示される。
【００８２】
スキャン処理が完了すると、表示部１３に、図５右下に例示する第２プレビュー画面９５が表示される。さらにこの場合、プレビューオプションがオプションＢに設定されていることに応じて、スキャン後処理が開始される。つまり、スキャン処理の後、ユーザ操作を要することなくスキャン後処理が開始される。
【００８３】
第２プレビュー画面９５には、プレビュー画像８６と、実行中メッセージ９６と、一時停止ボタン９７とが表示される。プレビュー画像８６は、第１プレビュー画面８５（図４参照）と同じである。
【００８４】
第２プレビュー画面９５における一時停止ボタン９７が選択操作されると、実行されているスキャン後処理が一時的に停止される。例えばコピー機能のショートカットが実行されている場合は、スキャン画像の印刷が一時的に停止される。
【００８５】
一時停止ボタン９７が選択操作されることによって実行中のスキャン後処理が一時停止されると、第２プレビュー画面９５には、図５左下に例示するように、一時停止ボタン９７に代えて、再開ボタン１０２及び停止ボタン１０３が表示される。さらに、実行中メッセージ９６に代えて、一時停止中メッセージ１０１が表示される。
【００８６】
停止ボタン１０３が選択操作されると、一時停止されているスキャン後処理が完全に停止される。この場合、表示部１３に表示される画面は、例えばショートカット画面８０に遷移する。
【００８７】
再開ボタン１０２が選択操作されると、一時停止されているスキャン後処理が再開される。このとき、第２プレビュー画面９５は、一時停止される前の内容、即ち実行中メッセージ９６及び一時停止ボタン９７を含む画面（図５右下参照）に切り替わる。
【００８８】
一時停止ボタン９７が選択操作されることによってスキャン画像の印刷が一時的に停止される場合、印刷を停止させる具体的なタイミングはどのようなタイミングであってもよい。
【００８９】
例えば、一時停止ボタン９７が選択操作された時点ですぐに印刷を停止させ、その後再開ボタン１０２が選択操作されたら、その停止された位置から印刷を再開してもよい。
また例えば、一時停止ボタン９７が選択操作された時点ですぐに印刷を停止させ、印刷が行われていた記録用紙を排紙してもよい。そして、その後再開ボタン１０２が選択操作されたら、印刷が途中で停止された画像から再び印刷をやり直すようにしてもよい。
【００９０】
また例えば、記録用紙への印刷が行われている途中で一時停止ボタン９７が選択操作された場合、当該記録用紙への印刷は最後まで続行させ、当該記録用紙への印刷が終了したときに、次の記録用紙への印刷を一時停止するようにしてもよい。
【００９１】
また例えば、印刷部１６がインクジェット技術に基づく印刷機構を有している場合において、記録用紙へインクを吐出する不図示の記録ヘッドが主走査方向へ移動しているときに一時停止ボタン９７が選択操作された場合は、その主走査方向における所定の停止位置までは移動及びインク吐出を継続させてもよい。
【００９２】
（７）ショートカット登録処理
次に、制御部１１が実行するショートカット登録処理について、図６を参照して説明する。制御部１１は、機能の設定画面（例えばコピー機能の場合は図２のコピー設定画面５０）においてショートカット登録ボタン５９が選択操作されると、図６のショートカット登録処理を開始する。図２〜図３に例示した画面遷移例は、制御部１１がショートカット登録処理を実行することによって実現される。
【００９３】
制御部１１は、ショートカット登録処理を開始すると、Ｓ１１０で、ショートカット登録準備処理を実行する。具体的には、機能の設定画面で設定されたパラメータを取得し、そのパラメータを示す情報を含むショートカット登録確認画面６０（図２参照）を表示部１３に表示する。そして、ＯＫボタン６１が選択操作されることに応じて、登録ボタン選択画面６５（図２参照）を表示する。登録ボタン選択画面６５において、いずれかの未登録ショートカットボタンが選択操作されると、Ｓ１２０に移行する。
【００９４】
Ｓ１２０では、表示部１３に、ワンタッチ登録確認画面７０（図３参照）を表示する。Ｓ１３０では、ワンタッチショートカットとして登録することが選択されたか否かを判断する。ワンタッチ登録確認画面７０において、いいえボタン７２が選択操作された場合は、通常ショートカットとして登録することが選択されたと判断し、Ｓ１９０に移行する。Ｓ１３０で否定判断されたことに応じて移行するＳ１９０では、選択された未登録ショートカットボタンへの、通常ショートカットとしての登録を行う。
【００９５】
Ｓ１３０で、ワンタッチ登録確認画面７０においてはいボタン７１が選択操作された場合は、ワンタッチショートカットとして登録することが選択されたと判断し、Ｓ１４０に移行する。
【００９６】
Ｓ１４０では、プレビュー機能がオンに設定されているか否か判断する。プレビュー機能がオフに設定されている場合は、Ｓ１８０に移行する。プレビュー機能がオンに設定されている場合は、Ｓ１５０に移行する。
【００９７】
Ｓ１５０では、プレビューオプション設定条件が成立しているか否か判断する。プレビューオプション設定条件が成立していない場合はＳ１８０に移行する。プレビューオプション設定条件が成立している場合はＳ１６０に移行する。
【００９８】
Ｓ１６０では、プレビューオプション選択画面７５（図３参照）を表示する。Ｓ１７０では、プレビューオプション設定処理を実行する。具体的には、プレビューオプション選択画面７５においてＡボタン７６及びＢボタン７７のうちの選択操作された一方に応じて、プレビューオプションを設定する。
【００９９】
Ｓ１８０では、登録対象のショートカットをワンタッチショートカットに設定する。そして、Ｓ１９０で、先に選択された未登録ボタンへのショートカットの登録を行う。
なお、ショートカットの登録は、待機画面４０のショートカットボタン４４を選択操作することによって表示されるショートカット画面８０（図３参照）を起点として行うこともできる。即ち、ショートカット画面８０において未登録ショートカットボタンを選択操作すると、登録する機能を選択させるための不図示の機能選択画面が表示される。その機能選択画面において、ショートカットとして登録したい機能を選択すると、その選択された機能におけるパラメータを設定するための設定画面が表示される。機能選択画面において例えばコピー機能が選択された場合は、設定画面として、図２に例示したコピー設定画面５０が表示される。そして、設定画面においてパラメータを設定した後、ショートカット登録ボタン５９を選択操作すると、ショートカット登録確認画面６０（図２参照）が表示される。ショートカット登録確認画面６０においてＯＫボタン６１を選択操作すると、ワンタッチ登録確認画面７０が表示される。ワンタッチ登録確認画面７０が表示された後は、Ｓ１３０以降の処理が行われる。
【０１００】
（８）ショートカット起動処理
次に、制御部１１が実行するショートカット起動処理について、図７を参照して説明する。制御部１１は、待機画面４０においてショートカットボタン４４が選択操作されると、図７のショートカット起動処理を開始する。なお、図７は、読取関連ショートカットが登録されたショートカットボタンが選択されることを前提とした処理を示している。図４〜図５に例示した画面遷移例は、制御部１１がショートカット起動処理を実行することによって実現される。
【０１０１】
制御部１１は、ショートカット起動処理を開始すると、Ｓ３００で、表示部１３にショートカット画面８０を表示する。そして、読取関連ショートカットが登録されたショートカットボタンの選択操作を受け付ける。
【０１０２】
Ｓ３１０では、ショートカット画面８０で選択操作されたショートカットボタンに登録されている読取関連ショートカットが、プレビュー機能がオンに設定されたワンタッチショートカットであるか否か判断する。プレビュー機能がオンに設定されたワンタッチショートカットではない場合は、Ｓ３２０で、登録されている読取関連ショートカットを実行する。プレビュー機能がオンに設定されたワンタッチショートカットである場合は、Ｓ３３０に移行する。
【０１０３】
Ｓ３３０では、選択操作されたショートカットボタンに登録されている読取関連ショートカットにプレビューオプションが設定されているか否か判断する。プレビューオプションが設定されていない場合は、Ｓ３５０に移行する。
【０１０４】
Ｓ３５０では、スキャン処理を実行する。スキャン処理の終了後、Ｓ３６０で、表示部１３に第１プレビュー画面８５（図４参照）を表示する。Ｓ３７０では、第１プレビュー画面８５におけるスタートボタン８７が選択操作されたか否か判断する。スタートボタン８７が選択操作された場合は、Ｓ３９０で、スキャン後処理を実行する。
【０１０５】
スタートボタン８７が選択操作されていない場合は、Ｓ３８０に移行する。Ｓ３８０では、無操作タイムアウトが発生したか否か判断する。無操作タイムアウトが発生していない場合は、Ｓ３７０に移行する。無操作タイムアウトが発生した場合は、Ｓ３９０に移行し、スキャン後処理を実行する。
【０１０６】
Ｓ３３０で、プレビューオプションが設定されている場合は、Ｓ３４０に移行する。Ｓ３４０では、プレビューオプションがオプションＡ及びオプションＢのどちらに設定されているか判断する。オプションＡに設定されている場合は、Ｓ３５０に移行する。オプションＢに設定されている場合は、Ｓ４００に移行する。
【０１０７】
Ｓ４００では、スキャン処理を実行する。スキャン処理の終了後、Ｓ４１０で、表示部１３に第２プレビュー画面９５（図５右下参照）を表示する。さらに、スキャン後処理を開始する。
【０１０８】
Ｓ４２０では、第２プレビュー画面９５における一時停止ボタン９７が選択操作されたか否か判断する。一時停止ボタン９７が選択操作されていない場合は、Ｓ４３０で、スキャン後処理が完了したか否か判断する。スキャン後処理が完了していない場合はＳ４２０に移行する。スキャン後処理が完了した場合は、Ｓ４９０で、表示部１３にショートカット画面８０を表示して、ショートカット起動処理を終了する。
【０１０９】
Ｓ４２０で、一時停止ボタン９７が選択操作された場合は、Ｓ４４０で、スキャン後処理を一時停止する。Ｓ４５０では、第２プレビュー画面９５の表示内容を切り替える。具体的には、図５左下に例示するように、一時停止ボタン９７に代えて再開ボタン１０２及び停止ボタン１０３を表示し、実行中メッセージ９６に代えて一時停止中メッセージ１０１を表示する。
【０１１０】
Ｓ４６０では、再開ボタン１０２および停止ボタン１０３のどちらが選択操作されたか判断する。停止ボタン１０３が選択操作された場合は、Ｓ４８０で、一時停止しているスキャン後処理を完全に停止（即ち実行中のショートカットを停止）させる。Ｓ４８０の処理後は、Ｓ４９０で、表示部１３にショートカット画面８０を表示して、本ショートカット起動処理を終了する。
【０１１１】
再開ボタン１０２が選択操作された場合は、Ｓ４７０に移行する。Ｓ４７０では、第２プレビュー画面９５の表示内容を切り替える。具体的には、図５右下に例示する表示内容に切り替える。これにより、第２プレビュー画面９５に再び一時停止ボタン９７及び実行中メッセージ９６が表示される。Ｓ４７０では、さらに、一時停止しているスキャン後処理を再開し、Ｓ４２０に移行する。
【０１１２】
（９）実施形態の効果
以上説明した実施形態の画像処理装置１０によれば、ユーザは、読取関連ショートカットをプレビュー機能オンで登録する場合、プレビューオプションを設定可能である。
【０１１３】
そのため、例えば、操作手数をできる限り少なくしたいもののスキャン後処理の開始はプレビュー画像を確認した上であらためて指示したい第１のユーザは、プレビューオプションをオプションＡに設定することで、希望に合致した読取関連ショートカットを登録可能となる。
【０１１４】
逆に、例えば、最初の実行指示の後にさらなる実行指示を行うことを望まない第２のユーザは、プレビューオプションをオプションＢに設定することで、希望に合致した読取関連ショートカットを登録可能となる。
【０１１５】
したがって、第１のユーザおよび第２のユーザの双方にとって使い勝手の良い画像処理装置１０を提供することが可能となる。
また、本実施形態では、プレビューオプションがオプションＡに設定されている場合、第１プレビュー画面８５が表示された後は、基本的には、スタートボタン８７が選択操作されるまではスキャン後処理の開始待ち状態となる。しかし、スタートボタン８７が選択操作されなくても、無操作タイムアウトが発生した場合は、スキャン後処理が開始される。
【０１１６】
そのため、例えば、ショートカットを実行させたユーザが、第１プレビュー画面８５においてスタートボタン８７の選択操作が必要であることを失念していた場合であっても、適切なタイミングでスキャン後処理が開始される。これにより、当該ユーザがショートカットの実行結果を適切に得られると共に、他のユーザが画像処理装置１０を使用できない状態が不要に長期化することを抑制することができる。
【０１１７】
また、本実施形態では、プレビューオプションがオプションＢに設定されている場合、スキャン処理の終了後に、第２プレビュー画面９５が表示されると共にスキャン後処理が開始されるが、ユーザは、一時停止ボタン９７によってスキャン後処理を一時停止させることができる。さらに、一時停止させた後、再開ボタン１０２によってスキャン後処理を再開させることもできる。
【０１１８】
また、本実施形態では、ショートカット画面８０に表示されるショートカットボタンの各々に、通常マーク６６またはワンタッチマーク６７が含まれる。そのため、ユーザは、各ショートカットボタンに登録されているショートカットが通常ショートカット及びワンタッチショートカットのどちらとして登録されているかを容易に視認できる。
【０１１９】
さらに、プレビューオプションがオプションＢに設定された読取関連ショートカットが登録されたショートカットボタンにおいては、ショートカット名が、他のショートカットボタンとは異なる態様で表示される。そのため、ユーザは、プレビューオプションがオプションＢに設定された読取関連ショートカットが登録されているショートカットボタンを容易に視認できる。
【０１２０】
なお、本実施形態において、スキャン機能を含むショートカットは読取関連機能の一例に相当する。通常ショートカットは第１種の読取関連機能の一例に相当し、ワンタッチショートカットは第２種の読取関連機能の一例する。オプションＡは第１の手順の一例に相当し、オプションＢは第２の手順の一例に相当する。ショートカットボタンが選択操作されることに応じて表示される設定画面における機能開始の指示操作（例えばコピー設定画面５０におけるモノクロスタートボタン５７又はカラースタートボタン５８の選択操作）は開始指示操作の一例に相当する。図４の第１プレビュー画面８５におけるスタートボタン８７の選択操作は読取後開始要求操作の一例に相当する。プレビューオプション選択画面７５は読取後手順選択画面の一例に相当する。ショートカット画面８０は機能選択画面の一例に相当する。ショートカット画面８０における登録済みショートカットボタンはアイコンの一例に相当する。プレビューオプションがオプションＢに設定された読取関連ショートカットが登録されているショートカットボタン６５ｂにおける、ショートカット名の表示態様は、識別情報の一例に相当する。
【０１２１】
また、Ｓ１１０の処理は登録処理の一例に相当する。Ｓ３５０及びＳ４００の処理は読取処理の一例に相当する。Ｓ３９０及びＳ４１０で実行されるスキャン後処理は特定の処理の一例に相当する。Ｓ１２０〜Ｓ１３０の処理は種別設定処理の一例に相当する。Ｓ１６０の処理は手順選択表示処理の一例に相当する。Ｓ１７０の処理は読取後手順設定処理の一例に相当する。Ｓ３００の処理は機能選択表示処理および実行指示受付処理の一例に相当する。図７のショートカット起動処理は、機能実行処理の一例に相当する。Ｓ３６０の処理は第１プレビュー画面表示処理の一例に相当する。Ｓ３７０の処理は読取後受付処理の一例に相当する。Ｓ３９０の処理は第１の特定開始処理および無操作開始処理の一例に相当する。Ｓ４１０の処理は第２プレビュー画面表示処理及び第２の特定開始処理の一例に相当する。Ｓ４４０の処理は一時停止処理の一例に相当する。Ｓ４５０の処理は再開ボタン表示処理の一例に相当する。Ｓ４７０の処理は再開処理の一例に相当する。
【０１２２】
［２．他の実施形態］
以上、本発明の実施形態について説明したが、本発明は上述の実施形態に限定されることなく、種々変形して実施することができる。
【０１２３】
（１）ショートカットボタンにおける、プレビューオプションがオプションＡ及びオプションＢのどちらに設定されているかを視認可能な表示態様は、ショートカット名のフォントを異ならせること以外の表示態様であってもよい。例えば、プレビューオプションに応じてショートカット名の色が異なっていてもよい。また例えば、プレビューオプションに応じてショートカットボタンの色が異なっていてもよい。
【０１２４】
（２）プレビューオプションがオプションＢに設定されている場合に、スキャン処理の終了後すぐにスキャン後処理を開始せず、第２プレビュー画面９５の表示後一定時間経過するまで待機し、一定時間経過後にスキャン後処理を開始してもよい。
【０１２５】
このようにすることで、仮に、スキャン処理が正常に行われなかった場合であってそのことをユーザがプレビュー画像８６を見ることによって認識した場合、スキャン後処理が開始される前に、現在実行中の読取関連ショートカットを完全に停止させることができる。
【０１２６】
（３）読取関連ショートカットは、コピー機能のショートカットに限定されない。例えばスキャン機能やファクス機能などの、スキャン処理を要する他の各種機能についても、読取関連ショートカットとして登録可能である。
【０１２７】
（４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１２８】
１０…画像処理装置、１１…制御部、１２…記憶部、１３…表示部、１４…入力部、１５…読取部、１６…印刷部、１７…メディアＩ／Ｆ、１８…第１通信部、１９…第２通信部、２０…情報処理装置、４０…待機画面、４４…ショートカットボタン、５０…コピー設定画面、６０…ショートカット登録確認画面、６５…登録ボタン選択画面、６５ａ〜６５ｆ…ショートカットボタン、６６…通常マーク、６７…ワンタッチマーク、７０…ワンタッチ登録確認画面、７５…プレビューオプション選択画面、８０…ショートカット画面、８５…第１プレビュー画面、９５…第２プレビュー画面、９７…一時停止ボタン、１０２…再開ボタン。
【図１】
2020155890.tif 000003
【図２】
2020155890.tif 000004
【図３】
2020155890.tif 000005
【図４】
2020155890.tif 000006
【図５】
2020155890.tif 000007
【図６】
2020155890.tif 000008
【図７】
2020155890.tif 000009